(57)【要約】【課題】口腔内の舌の裏面部の奥の方に付着している食べ滓や、歯肉と頬内の奥の方に貯まっている食べ物等をスムーズに確実に除去し、舌の外周面や歯肉の内、外側面及び頬の内側面を隈なくマッサージして舌、歯肉や頬の内側を健康にする。【解決手段】握り柄の端部を、直線もしくは若干の傾斜角度を付して折曲し延設する頭部の外側面に、径が極めて小さい金製等の球体を、所定間隔おきに且容易に離脱しないように接着するマッサージ兼用掃除部を形成した。【選択図】    図１
0003102843.tif 000002
【実用新案登録請求の範囲】
【請求項１】
握り柄の端部を、直線もしくは若干の傾斜角度を付して折曲し延設する頭部の外側面に、径が極めて小さい球体を、所定間隔おきに且容易に離脱しないように接着するマッサージ兼用掃除部を形成することを特徴とする口腔用健康ブラシ。
【請求項２】
握り柄の端部を、直線もしくは若干の傾斜角度を付して折曲し延設する頭部の外側面に、径が極めて小さい金製もしくは銀製もしくは銅製もしくはステンレス製の球体を、所定間隔おきに且容易に離脱しないように接着するマッサージ兼用掃除部を形成することを特徴とする口腔用健康ブラシ。
【請求項３】
握り柄の端部を、直線もしくは若干の傾斜角度を付して折曲し延設する頭部の外側面に、径が極めて小さく、且短い脚部を付着する脚付き球体を、所定間隔おきに且容易に離脱しないように前記球体の脚部を接着するマッサージ兼用掃除部を形成することを特徴とする口腔用健康ブラシ。
【請求項４】
握り柄の端部を、直線もしくは若干の傾斜角度を付して折曲し延設する頭部の外側面に、径が極めて小さく、且短い脚部を有する金製もしくは銀製もしくは銅製もしくはステンレス製球体を、所定間隔おきに且容易に離脱しないように前記球体の脚部を接着するマッサージ兼用掃除部を形成することを特徴とする口腔用健康ブラシ。
【請求項５】
前記頭部を、前記球体が接着できる金属製とすることを特徴とする請求項１又は請求項２又は請求項３又は請求項４記載の口腔用健康ブラシ。
【請求項６】
前記球体を、径が大きいものと小さいものとを別設し、これらを前記頭部の外側面に混合して接着したことを特徴とする請求項１又は請求項２又は請求項３又は請求項４又は請求項５記載の口腔用健康ブラシ。
【考案の詳細な説明】
【技術分野】
【０００１】
本考案は、口腔内の舌の裏面部の奥の方に付着している食べ滓や、歯肉と頬内の奥の方に貯まっている食べ物等をスムーズに、しかも確実に除去し、さらに舌の外周面もしくは歯肉の内、外側面及び頬の内側面を隈なく、マッサージして舌、歯肉や頬の内側を健康にすると共に、老人に多い舌の裏面部や口腔内に食べ滓がたまってかびが発生し、そのまま飲込んで腹痛や下痢の症状をひき起すのを予防する口腔用健康ブラシの分野に関するものである。
【背景技術】
【０００２】
従来の口腔清掃具としては、握持部１の一端部に、熱可塑性樹脂よりなる星型柱体形状のスポンジ小塊２の表面に加熱された金属棒を突き刺して孔を開け、この孔に接着剤を付着した後、前記把持部４を差込み両者を固定するものが特開平１０−２４８８５９号公開特許公報として開示されている。
【０００３】
さらに従来の金属体、セラミック体などの表面が滑らかな硬質材料で摩擦の負荷が少なく、且暖めて使用すれば血行をよくする効果もあり、安全で清潔で快適にマッサージができる金属体歯肉歯茎マッサージ器として、特開２００２−１１９５６２公開特許公報が開示されている。
【特許文献１】特開平１０−２４８８５９号公開特許公報
【特許文献２】特開２００２−１１９５６２公開特許公報
【考案の開示】
【考案が解決しようとする課題】
【０００４】
前記した従来の特開平１０−２４８８５９号公開特許公報の口腔清掃具は、介護者が寝たきり老人等慢性就床患者或いは手の不自由な身障者の口腔内の清掃を行う際に使用されるものである。そのため介護者は清掃対象者の口腔内に挿入した際、舌や歯肉、頬の内側面に接しても傷付かないよう細心の注意を払って作業をしなければならなかった。
【０００５】
さらに前記開示の口腔清掃具は、口腔内に貯っている食べ物の除去や口腔内の清掃ができなかった。
【０００６】
また口腔内の清掃用スポンジ小塊２は、１個の固まりと化し、口腔内に貯っている小さな食べ物を引掛け除去するのに適さなかった。
【０００７】
さらに前記スポンジ小塊２は、材質がスポンジ製のため、舌、歯肉、頬の内側面等をマッサージするときは変形したり、さらに口腔内の水分を吸収してしまって摩擦抵抗が大となり、舌、歯肉、の頬内側面を傷つけるおそれがあった。
【０００８】
また前記した従来開示の特開２００２−１１９５６２公開特許公報の歯肉歯茎マッサージ器は、マッサージだけしかできないもので、舌の裏面部や口腔内の奥の方に貯っている食べ物等を引掛け取り除くことができない構造をしている。
【０００９】
しかるに本考案の口腔用健康ブラシは、舌の裏面部に貯っている小さな食べ物、食べ滓や、頬と歯肉の奥の方に貯ってしまっている小さな食べ物、食べ滓を容易に除去して、口腔内を常時清潔にすると共に、舌の上面、左右両サイド及び裏面の外側面全体及び歯肉の外側面部と内側面部と、さらに頬の内側面を隈なく、しかも傷つけることもなく、マッサージができると共に、口腔内を丈夫にして、しかも衛生状態を良好にしておくことの目的のために開発したものである。
【００１０】
さらに本考案の口腔用健康ブラシのマッサージ兼用掃除部の部材が、極小の金製球体にして、肌触りを良好にすると共に、使用者の不快感を与えない目的のもとに開発した。
【００１１】
また本考案の口腔用健康ブラシのマッサージ兼用掃除部を握り柄の端部に対し、若干傾斜させて、口腔内に貯っている食べ物や食べ滓を引掛けやすくすると共に、マッサージをやりやすくし、且マッサージ機能を著増せしめる目的のために開発したものである。
【課題を解決するための手段】
【００１２】
前記課題を解決するための手段として、請求項１記載の口腔内健康ブラシは、握り柄の端部を、直線もしくは若干の傾斜角度を付して折曲し延設する頭部の外側面に、径が極めて小さい球体を、所定間隔おきに且容易に離脱しないように接着するマッサージ兼用掃除部を形成する口腔用健康ブラシである。
【００１３】
請求項２記載の口腔用健康ブラシは、握り柄の端部を、直線もしくは若干の傾斜角度を付して折曲し延設する頭部の外側面に、径が極めて小さい金製もしくは銀製もしくは銅製もしくはステンレス製の球体を、所定間隔おきに且容易に離脱しないように接着するマッサージ兼用掃除部を形成する口腔用健康ブラシである。
【００１４】
請求項３記載の口腔用健康ブラシは、握り柄の端部を、直線もしくは若干の傾斜角度を付して折曲し延設する頭部の外側面に、径が極めて小さく、且短い脚部を付着する脚付き球体を、所定間隔おきに且容易に離脱しないように前記球体の脚部を接着するマッサージ兼用掃除部を形成する口腔用健康ブラシである。
【００１５】
請求項４記載の口腔用健康ブラシは、握り柄の端部を、直線もしくは若干の傾斜角度を付して折曲し延設する頭部の外側面に、径が極めて小さく、且短い脚部を有する金製もしくは銀製もしくは銅製もしくはステンレス製球体を、所定間隔おきに且容易に離脱しないように前記球体の脚部を接着するマッサージ兼用掃除部を形成する口腔用健康ブラシである。
【００１６】
請求項５記載の口腔用健康ブラシは、前記頭部を、前記球体が接着できる金属製とする口腔用健康ブラシである。
【００１７】
請求項６記載の口腔用健康ブラシは、前記球体を、径が大きいものと小さいものとを別設し、これらを前記頭部の外側面に混合して接着した口腔用健康ブラシである。
【考案を実施するための最良の形態】
【００１８】
本考案の口腔用健康ブラシに関する請求項１〜６記載の考案は、共通するので以下のとおり一括して説明する。
【００１９】
本考案の口腔用健康ブラシａは、細長い金属製握り柄１の一端を形成する先端部に頭部２を設け、前記頭部２の外側面に径が極小の球体３を、所定の手段で容易に離脱しないよう無数接着し、マッサージ兼用掃除部４を形成する。なお、当該マッサージ兼用掃除部４を、握り柄１の頭部２とは反対側の基端部にも形成する実施形態も採用可能である（図示は省略）。
【００２０】
前記握り柄１は、図面図示のとおりの形状に限定しないが、握持がしやすければよい。そしてこの握り柄１は、金製もしくは銀製もしくは銅製もしくはステンレス製もしくは鉄材に亜鉛メッキを施したものでもよい。
【００２１】
さらに前記頭部２は、図面図示のように所定の角度で折曲して使用するが限定しない。従って握り柄１と同じに直線形状でもよい。
【００２２】
前記頭部２の材質も、前記握持部１と同じ材質の金製もしくは銀製もしくは銅製もしくはステンレス製もしくは鉄材に亜鉛メッキを施したものでもよい。
【００２３】
さらに頭部２を形成する握り柄１の端部は手指で握持する部分の径よりも細く形成してもよい。
【００２４】
つぎに前記球体３は、径が０．３〜０．５ｍｍ程度の金製もしくは銀製もしくは銅製もしくはステンレス製等の球形状のものを使用する。
【００２５】
前記球体３を、若干膨らんだ形状の前記頭部２の外側面に接着するには、球体３同士が接触もしくは若干の間隔を設け、球体３を形成する頭部を容易に離脱しないような接着強度を保持せしめ接着する。
【００２６】
前記球体３が前記のように頭部２の外側面に接着すると、球体３同士の間隔が殆んどないときは、口腔内に残っている食べ物や食べ滓等が引掛りにくい。
【００２７】
しかし前記とは反対に前記球体３同士の間隔が若干開けると、口腔内に残っている食べ物や小さな食べ滓等が引掛り易く除去しやすい。
【００２８】
前記球体３同士の間隔が狭ければ狭い程接着している球体３の数量が多いので、舌もしくは歯肉の内外側面もしくは頬の内側面に接触する。接触面が多く、マッサージ効果をあげられる。
【００２９】
さらに前記球体３が、金製の場合、金の特性である殺菌作用によって、口腔内の雑菌を除去できる。
【００３０】
また前記球体３が、球形状をしているので、口腔内に挿入しても、舌の外側面もしくは歯肉の内、外側面もしくは頬の内側面に当っても、損傷のおそれは全くなく、安心して使用できる。
【００３１】
さらに前記球体３は、掃除あるいはマッサージ目的のために口腔内に挿入しても、前記したとおり接触時に当りが良いので違和感は全くなく、気分良く食べ物や食べ滓等を隈なく除去し、同時にマッサージ効果を挙げることができる。
【００３２】
本考案は、前述した球体３以外に短い脚部６を有する脚付き球体５を別設しておき、前記頭部２の外側面に前記脚部６を接着させてもよい。そのとき前記脚付き球体５の脚部６を前記頭部２の外側面に無数接着し、マッサージ兼用掃除部として形成してもよい。
【００３３】
前記脚付き球体５同士の間隔は、前記した球体５と同様に狭くも広くもできる。
【００３４】
その結果掃除やマッサージ作用は、前記球体５の場合と殆んど変らない。
【００３５】
本考案の健康ブラシａの掃除部４は、口腔内に挿入しても、違和感を感ずることなく、爽快な気分で、舌の裏面部や頬の内側面と歯肉との奥に貯っている小さな食べ物の固まりや食べ滓を、容易に引掛けて取出すことができるし、同時に違和感なくマッサージを持続し、マッサージ効果を著しく高めることができる。
【００３６】
さらに前記のように口腔内の食べ物のかたまりもしくは食べ滓を違和感なく、爽快な気分で早期に除去できるので、口腔内に残っている食べ物が腐敗し、かびが生えたりしていた従来の弊害を一挙に除去できる利点がある。
【００３７】
従って、お年寄りの方々の口腔内を常時衛生的にしておくことができる。
【００３８】
さらに本考案のブラシａの頭部２に球体３を接着したマッサージ兼用掃除部４の形態を下記のようにすることができる。
【００３９】
即ち前記掃除部４を構成する頭部２の外側面に接着する球体として、前記した球体３以外に、前記球体３の径よりも若干大きい径の球体７を別設し、前記頭部２の外側面に両球体３、７を交互もしくは何れか一方の球体３、７を不均一に点在するように接着し、掃除部４を構成することができる。
【００４０】
なお接着した上記両球体３、７の間には、若干の間隙部を設ける。
【００４１】
上記のように両球体３、７を頭部２の外側面に接着して形成した掃除部４は、舌の裏面部や歯肉と頬間の奥の方に貯っている食べ物や食べ滓が、小さい径の球体３と大きい径の球体７との間に形成された凹部分に前記の食べ物もしくは食べ滓の全部もしくは一部のものが挿入するので、前記の食べ物もしくは食べ滓が除去しやすい。
【００４２】
さらに前記両球体３、７を前記のように交互もしくは不均一に点在し、且接着せしめた掃除部４が、舌の外側面もしくは歯肉の内外側面もしくは頬の内側面に当った際に、球体３、７の高低差が当り面への強弱ある刺激を与え、マッサージ効果をより一層著増する。
【００４３】
また前記球体３、５、７以外に、他の実施例として短い脚部９を付した球体８を形成し、図５のように前記脚部６付き球体５と頭部２の外側面に交互もしくは不均一に点在させてもよい。このとき頭部２の外側面に接着するのは、脚部６、９である。
【００４４】
前記脚部６、９付き球体５、８を頭部２ａ外側面に交互もしくは不均一に点在させて形成したときの作用、効果は、前記した脚部６、９のない球体３、７を接着した掃除部４と同じである。
【図面の簡単な説明】
【００４５】
【図１】本考案口腔用健康ブラシの斜視図である。
【００４６】
【図２】同要部の一部切欠拡大縦断面図である。
【００４７】
【図３】同ブラシの第２実施例を示す要部の一部切欠拡大縦断面図である。
【００４８】
【図４】同ブラシの第３実施例を示す要部の一部切欠拡大縦断面図である。
【００４９】
【図５】同ブラシの第４実施例を示す要部の一部切欠拡大縦断面図である。
【符号の説明】
【００５０】
ａ      口腔用健康ブラシ
１      握り柄
２      頭部
３      球体
４      マッサージ用掃除部
５      脚付き球体
６      脚部
７      球体
８      球体
９      脚部
【図１】
0003102843.tif 000003
【図２】
0003102843.tif 000004
【図３】
0003102843.tif 000005
【図４】
0003102843.tif 000006
【図５】
0003102843.tif 000007